(57)【特許請求の範囲】
【請求項１】
両側縁にマージナルパンチを備えた連続帳票を直線状の走行経路に沿って走行させるためのピントラクタであって、前記マージナルパンチに挿入可能なピンを一定間隔で備えた無端状チェーンと、その無端状チェーンを掛けた一対のスプロケットと、この一対のスプロケット間に延びる無端状チェーンの二つの走行部分のうちの一方の内側に配置され、該無端状チェーンを移動可能に支持する支持ガイドと、その支持ガイドで支持された無端状チェーンの走行部分に対向して配置された蓋とを備え、前記支持ガイドが、先端部分に、前記無端状チェーンのピンが連続帳票のマージナルパンチから離れた位置からそのマージナルパンチに挿入されるよう、その無端状チェーンを、前記連続帳票の直線状の走行経路に漸近させるよう案内する入側の傾斜案内部を有し、その後ろに、前記無端状チェーンを、前記連続帳票の直線状の走行経路に平行に走行させるよう案内する直線案内部を有し、更にその後ろに、前記無端状チェーンのピンが連続帳票のマージナルパンチから引き抜かれるよう、その無端状チェーンを、前記連続帳票の直線状の走行経路から徐々に離すように案内する出側の傾斜案内部を有することを特徴とするピントラクタ。
【請求項２】
前記連続帳票の直線状の走行経路に対する前記傾斜案内部の傾斜角を、２〜１０度に設定したことを特徴とする請求項１記載のピントラクタ。
【発明の詳細な説明】
【０００１】
【発明の属する技術分野】
本発明は、両側縁にマージナルパンチを備えた連続帳票を搬送するために使用するピントラクタに関する。
【０００２】
【従来の技術】
従来、この種のピントラクタは、図６に示すように、連続帳票１に形成しているマージナルパンチに挿入可能なピン２を一定間隔で備えた無端状チェーン３と、その無端状チェーン３を掛けた一対のスプロケット４ａ、４ｂと、この一対のスプロケット４ａ、４ｂに掛けられた無端状チェーン３の上側の走行部分３ａに対向して配置され、ピン２を通過させる溝５ａを有する蓋５等を備えており、無端状チェーン３の上側の直線状の走行部分３ａのピン２が連続帳票１のマージナルパンチに挿入した状態で走行することで、連続帳票１を直線状に搬送していた。また、蓋５は、ピン２で搬送されている連続帳票１がピン２から外れないように拘束するものであり、そのほぼ全長に渡って、無端状チェーン３の直線状の走行部分３ａとの間に小さい一定の間隙を形成するようその走行部分３ａに平行に形成された直線状の案内面５ｂを備えていた。なお、蓋５の先端には、連続帳票１の導入を容易とするよう傾斜面５ｃが形成されていた。
【０００３】
【発明が解決しようとする課題】
しかし、かかる従来のピントラクタは、低速での連続帳票の搬送中はさほど問題ないが、例えば、２００ｍ／ｍｉｎと言った高速で運転した場合、連続帳票がピントラクタの入り口部分に詰まったり、ピン２が連続帳票１のマージナルパンチに挿入されず、搬送ミスを生じたりすることがあった。
【０００４】
また、ピントラクタに対して連続帳票をセットするには、通常はピントラクタを停止させ、蓋５を開いて無端状チェーン３の上側の走行部分３ａに連続帳票１を係合させ、その後蓋５を閉じてピントラクタの運転を開始するという手作業による方法を採るが、その他の方法として、蓋５を図示したように閉じた状態で、ピントラクタに対して連続帳票の先端を差し込み、自動給紙することも行われている。しかしながら、連続帳票の先端を無端状チェーン３の走行部分３ａと蓋５との間に挿入しようとした場合、走行部分３ａと蓋５との間隔が狭いため、連続帳票先端がうまく入らず、給紙ミスを生じるということもあった。
【０００５】
本発明は、かかる従来の問題点を解決せんとするもので、高速でも連続帳票を良好に搬送することができ、また自動給紙を行う場合、連続帳票先端を良好に無端状チェーンと蓋との間に挿入して連続帳票のマージナルパンチに無端状チェーンのピンを挿入させることを可能とするピントラクタを提供することを目的とする。
【０００６】
本発明者等は、従来のピントラクタの問題点の原因を鋭意検討の結果、次の事項を見出した。すなわち、従来のピントラクタでは、図７に拡大して示すように、無端状チェーン３の前側のスプロケット４ａに掛けられた部分が、走行部分３ａと蓋５との間に形成される連続帳票の通路に対する入り口の案内面として作用するが、そのスプロケット４ａはあまり大きい直径とできないため、この案内面がかなり急激に立ち上がる形状となっている。一方、ピントラクタに送り込まれる連続帳票１は、図面では直線状に示しているが、実際には折り目が少し残っていて凹凸を形成しており、高速で搬送される連続帳票１の折り目が、その案内面（無端状チェーン３のスプロケット４ａに掛けられた部分）に高速でぶつかって紙詰まりを起こすことがあった。また、スプロケット４ａに沿って急激に上昇する無端状チェーン３のピン２が連続帳票１のマージナルパンチ１ａに挿入されるため、マージナルパンチ１ａに挿入される瞬間のピン２はかなり斜めに傾斜した状態となっており、このため、ピン２の先端位置がマージナルパンチ１ａからずれた位置にぶつかり、挿入ミスが生じていた。更に、連続帳票１を自動給紙する場合には、その先端を蓋５と無端状チェーン３の走行部分３ａの間に挿入する必要があるが、その入り口部分において無端状チェーン３のスプロケット４ａに掛けられた部分がかなり急激に立ち上がる形状となっているので、この部分に連続帳票の先端が突き当たってしまい、うまく給紙できなかった。従って、ピントラクタの入り口部分で、無端状チェーンを連続帳票の走行経路に対して、ゆるやかに接近させる構成とすればこれらの問題点を解消できる。
【０００７】
【課題を解決するための手段】
本発明はかかる知見に基づいてなされたもので、一対のスプロケットに掛け渡された無端状チェーンの二つの走行部分のうち、連続帳票の搬送に使用する側の走行部分の内側に、その走行部分を移動可能に支持する支持ガイドを設け、その支持ガイドの先端部分に、前記無端状チェーンのピンが連続帳票のマージナルパンチから離れた位置からそのマージナルパンチに挿入されるよう、その無端状チェーンを、前記連続帳票の直線状の走行経路に漸近させるよう案内する入側の傾斜案内部を設け、その後ろに、前記無端状チェーンを、前記連続帳票の直線状の走行経路に平行に走行させるよう案内する直線案内部を設けるという構成としたものである。本発明はこの構成により、ピントラクタの入り側において、無端状チェーンがゆるやかに連続帳票の走行経路に接近することとなり、ピンのマージナルパンチへの挿入が確実となると共に、連続帳票の折り目が高速で入ってきても傾斜状態となっている無端状チェーンで案内されてスムースに、無端状チェーンと蓋との間に入ることとなり、また、自動給紙を行う場合においても連続帳票の先端がスムースに無端状チェーンと蓋との間に案内され、ピントラクタに確実にセットされる。
【０００８】
【発明の実施の形態】
本発明のピントラクタは、連続帳票のマージナルパンチに挿入可能なピンを一定間隔で備えた無端状チェーンと、その無端状チェーンを掛けた一対のスプロケットと、この一対のスプロケット間に延びる無端状チェーンの二つの走行部分のうちの一方の内側に配置され、該無端状チェーンを移動可能に支持する支持ガイドと、その支持ガイドで支持された無端状チェーンの走行部分に対向して配置された蓋とを備え、前記支持ガイドが、先端部分に、前記無端状チェーンのピンが連続帳票のマージナルパンチから離れた位置からそのマージナルパンチに挿入されるよう、その無端状チェーンを、連続帳票の直線状の走行経路に漸近させるよう案内する入側の傾斜案内部を有し、その後ろに、前記無端状チェーンを、前記連続帳票の直線状の走行経路に平行に走行させるよう案内する直線案内部を有する構成としたものであり、この構成により、上記したように、連続帳票を高速で搬送しても、入り口で詰まるということがなく、また、ピンが連続帳票のマージナルパンチに良好に挿入され、搬送ミスを生じることもなく、更に自動給紙が可能となる。
【０００９】
本発明のピントラクタは、前記した構成に加えて、前記支持ガイドが、前記した直線案内部の後ろに、無端状チェーンのピンを連続帳票のマージナルパンチから引き抜くよう、その無端状チェーンを、前記連続帳票の直線状の走行経路から徐々に離すように案内する出側の傾斜案内部を有する構成としている。この構成により、連続帳票を高速で搬送した場合でも、ピンがマージナルパンチからスムーズに抜けることとなり、ピンがマージナルパンチに引っかかって紙詰まりを起こしたり、破損を生じるといったことを防止できる。
【００１０】
本発明の実施に当たって、連続帳票の走行経路に対する入側の傾斜案内部の傾斜角は、本発明の目的を達成する上からは小さい方が好ましいが、あまり小さくなると、ピンをマージナルパンチに挿入するために要する傾斜案内部の長さが長くなってしまう。これらを考慮すると、連続帳票の走行経路に対する入側の傾斜案内部の傾斜角は、通常、２〜１０度程度に設定することが好ましく、更には３〜７度程度が一層好ましい。出側の傾斜案内部についても同様である。
【００１１】
【実施例】
以下、本発明のピントラクタの好適な実施例を説明する。図１は本発明の一実施例によるピントラクタを、図２のＡ−Ａ方向に見た概略断面図、図２はそのピントラクタを、図１のＢ−Ｂ方向に見た概略断面図、図３はそのピントラクタの前端部分を拡大して示す概略断面図、図４はそのピントラクタの後端部分を拡大して示す概略断面図、図５はそのピントラクタを用いて連続帳票を搬送する状態を示す概略平面図であり、図６に示す従来例と同一又は同様な部品には同一符号を付して示している。図１〜図５において、１０は本発明の一実施例によるピントラクタであり、搬送すべき連続帳票１を、その両側縁に形成しているマージナルパンチ１ａに係合して搬送するよう、連続帳票１の幅方向に間隔をあけて配置されている。このピントラクタ１０も、従来と同様に、連続帳票１に形成しているマージナルパンチに挿入可能なピン２を一定間隔で備えた無端状チェーン３と、その無端状チェーン３を掛けた一対のスプロケット４ａ、４ｂと、この一対のスプロケット４ａ、４ｂに掛けられた無端状チェーン３の上側の走行部分３ａに対向して配置され、ピン２を通過させる溝５ａを有する蓋５等を備えている。ただし、一対のスプロケット４ａ、４ｂは、連続帳票１の所定の直線状の走行経路に対して、従来のピントラクタにおけるスプロケット４ａ、４ｂ（図６参照）よりは、離れた位置に配置されている。
【００１２】
ピントラクタ１０は、更に、一対のスプロケット４間に延びる走行部分３ａを内側から移動可能に支持する支持ガイド１１を備えている。この支持ガイド１１は、その中間部分に、無端状チェーン３のピン２を連続帳票１のマージナルパンチに挿入させた状態でその無端状チェーン３を、連続帳票１の直線状の走行経路Ｏ−Ｏに平行に走行させるよう案内する直線案内部１１ａを有しており、且つその直線案内部１１ａの前後にそれぞれ、入側の傾斜案内部１１ｂと出側の傾斜案内部１１ｃを備えている。入側の傾斜案内部１１ｂは、スプロケット４ａに掛けられている無端状チェーン３を、そのスプロケット４ａから外すように案内し、且つその無端状チェーン３のピン２を連続帳票１のマージナルパンチ１ａから離れた位置からそのマージナルパンチ１ａに挿入させるよう、その無端状チェーン３を、連続帳票１の直線状の走行経路Ｏ−Ｏに漸近させるよう案内する構成となっている。また、出側の傾斜案内部１１ｃは、無端状チェーン３のピン２を連続帳票１のマージナルパンチ１ａから引き抜くよう、その無端状チェーン１を、連続帳票１の直線状の走行経路Ｏ−Ｏから徐々に離すように案内し、且つスプロケット４ｂに掛けられる位置に案内する構成となっている。本実施例において、入側及び出側の傾斜案内部１１ｂ、１１ｃの、連続帳票１の走行経路Ｏ−Ｏに対する傾斜角θ1 、θ2 はそれぞれ、約５度に設定されている。
【００１３】
蓋５は、支持ガイド１１で支持された無端状チェーン３の走行部分３ａを覆う位置に配置されており、ピン２を通過させる溝５ａと、連続帳票１の走行経路Ｏ−Ｏに平行な直線状のガイド面５ｂを備えている。更に、この蓋５は、図２から良く分かるように、支軸１２を中心として二点鎖線で示す位置に開くことができる構成である。なお、図１、図２において、１４は、連続帳票１の下面を案内するガイド板であり、ピントラクタ１０の取付位置を避けて配置されている。
【００１４】
上述構成のピントラクタ１０では、図１に示すように、支持ガイド１１の中央部分の直線案内部１１ａ上を走行している無端状チェーン３のピン２が連続帳票１のマージナルパンチ１ａに挿入されており、その連続帳票１を走行経路Ｏ−Ｏ（図３、図４参照）に沿って搬送している。ここで、そのピントラクタ１０の入側では、図３に拡大して示すように、無端状チェーン３が支持ガイド１１の傾斜案内部１１ｂに案内されてゆるやかに連続帳票１の走行経路Ｏ−Ｏに接近しており、従って、無端状チェーン３と蓋５の案内面５ｂで形成される通路はゆるやかに狭くなっている。このため、搬送中の連続帳票１の折り目が高速で入ってきても、斜め方向に走行している無端状チェーン３で案内されて、直線案内部１１ａの上に位置する無端状チェーン３と蓋５との間の狭い隙間にスムースに入ることとなり、その入口に詰まってトラブルを起こすということがない。また、ピントラクタ１０の入側において、無端状チェーン３のピン２が連続帳票１のマージナルパンチ１ａに挿入されるが、その際のピン２の角度は垂直に近く、従って走行中の連続帳票１に直角に近いため、ピン２の先端位置はマージナルパンチ１ａに一致しており、ピン２のマージナルパンチ１ａへの挿入が確実となる。更に、ピントラクタ１０の出側においても、図４に示すように、支持ガイド１１の傾斜案内部１１ｃで案内されている無端状チェーン３が連続帳票１の走行経路Ｏ−Ｏから徐々に離れており、従ってピン２が連続帳票１にほぼ直角方向に引き抜かれるため、ピン２がマージナルパンチ１ａに引っかかってトラブルを起こすということがない。かくして、このピントラクタ１０は連続帳票１を高速で安定して搬送することがきる。
【００１５】
また、このピントラクタ１０に対して自動給紙を行う場合には、蓋５を所定の作動位置（図１、図３に示す位置）とした状態で、その蓋５と無端状チェーン３との間に連続帳票１の先端を挿入することとなるが、その場合にも、ピントラクタ１０の入側において、無端状チェーン３と蓋５との間の通路は、傾斜案内部１１ｂで斜め上方に案内されている無端状チェーン３によって徐々に狭まる形状であるので、連続帳票１の先端がスムースに無端状チェーン３と蓋５との間に案内される。かくして、連続帳票１を確実にピントラクタ１０にセットすることができ、自動給紙を支障なく行うことができる。
【００１６】
なお、上記実施例では、支持ガイド１１として、中央の直線案内部１１ａとその前後の傾斜案内部１１ｂ、１１ｃを一体構造として備えたものを用いたが、本発明に使用する支持ガイドはこの構成に限らず、直線案内部１１ａとその前後の傾斜案内部１１ｂ、１１ｃをそれぞれ、別の部材として作成したものを用いても良い。更に、支持ガイド１１に設ける直線案内部１１ａとしては、図示したように、無端状チェーン３の走行経路Ｏ−Ｏに平行に走行する部分全体を支持する支持面を備えたものに限らず、無端状チェーン３を複数個所で支持して走行経路Ｏ−Ｏに平行に走行させるように支持する構成のものでもよい。また、傾斜案内部１１ｂ、１１ｃについても同様である。
【００１７】
【発明の効果】
以上に説明したように、本発明は、ピントラクタの入側に、無端状チェーンをゆるやかに連続帳票の走行経路に接近するように案内する傾斜案内部を備えた支持ガイドを設けたことにより、無端状チェーンのピンを連続帳票のマージナルパンチへ確実に挿入させることができ、また、連続帳票の折り目が無端状チェーンと蓋との間の通路に高速で入ってきても、その入り口の部分で詰まるということがなく、このため、高速で安定して連続帳票を搬送できるという効果を有している。また、自動給紙を行う場合において、連続帳票の先端をスムースに無端状チェーンと蓋との間に案内してピントラクタにセットすることができ、従って本発明のピントラクタは自動給紙に良好に使用できるという効果も有している。
【００１８】
更に、本発明は、ピントラクタの出側に、無端状チェーンをゆるやかに連続帳票の走行経路から離れるように案内する傾斜案内部を形成したことにより、連続帳票を高速で搬送した場合でも、ピンがマージナルパンチからスムースに抜け、このため、ピンがマージナルパンチに引っかかって紙詰まりを起こしたり、破損を生じるといったことを防止できるという効果が得られる。
【図面の簡単な説明】
【図１】本発明の一実施例のピントラクタを、図２のＡ−Ａ方向に見た概略断面図
【図２】図１に示すピントラクタを、図１のＢ−Ｂ方向に見た概略断面図
【図３】図１に示すピントラクタの前端部分を拡大して示す概略断面図
【図４】図１に示すピントラクタの後端部分を拡大して示す概略断面図
【図５】図１に示すピントラクタを用いて連続帳票を搬送する状態を示す概略平面図
【図６】従来のピントラクタの概略断面図
【図７】図６に示すピントラクタの前端部分を拡大して示す概略断面図
【符号の説明】
１  連続帳票
１ａ  マージナルパンチ
２  ピン
３  無端状チェーン
３ａ  走行部分
４ａ、４ｂ  スプロケット
５  蓋
５ａ  溝
５ｂ  案内面
１０  ピントラクタ
１１  支持ガイド
１１ａ  直線案内部
１１ｂ  入側の傾斜案内部
１１ｃ  出側の傾斜案内部
【図１】
0003856924.tif 000002
【図２】
0003856924.tif 000003
【図３】
0003856924.tif 000004
【図４】
0003856924.tif 000005
【図５】
0003856924.tif 000006
【図６】
0003856924.tif 000007
【図７】
0003856924.tif 000008